(57)【要約】【課題】吹き抜けなどの居室で高所に設置された時の快適性を向上させることができる空気調和機を提供する。【解決手段】圧縮機８、室外熱交換器１０、四方弁９、及び電動膨張弁１５を有する室外機２と、室内ファンモータ５、室内熱交換器３を有する室内機１とを配管接続してなる空気調和機において、前記室内機１の設定温度と室温の温度差が所定値以上の場合、前記室内ファンモータ５の回転数を設定値以上に制御するもので、吹き抜けなどの高い位置に、空気調和機が設置されていても、居室の空気を十分に循環させ快適性を向上させることができる。【選択図】図１
2010112661.tif 000002
【特許請求の範囲】
【請求項１】
圧縮機、室外熱交換器、四方弁、及び膨張弁を有する室外機と、室内ファンモータ、室内熱交換器を有する室内機とを配管接続してなる空気調和機において、前記室内機の設定温度と室温の温度差が所定値以上の場合、前記室内ファンモータの回転数を設定値以上に上げることを特徴とする空気調和機。
【請求項２】
室内機の設定温度と室温の温度差が第１の一定時間の間所定値以上の場合、室内ファンモータの回転数を第２の一定時間設定値以上に上げることを特徴とする請求項１に記載の空気調和機。
【請求項３】
室内機の設定温度と室温と外気温度のそれぞれが、第１の一定時間の間所定値範囲にある場合、室内ファンモータの回転数を第２の一定時間設定値以上に上げることを特徴とする請求項１に記載の空気調和機。
【発明の詳細な説明】
【技術分野】
【０００１】
本発明は、空気調和機に関するものである。
【背景技術】
【０００２】
従来、畳数に応じて空気調和機が設置されていた（例えば、特許文献１参照）。
【特許文献１】特開２００８−１９６７６６号公報
【発明の開示】
【発明が解決しようとする課題】
【０００３】
しかしながら、従来の空気調和機では、住宅でリビングなどの大容量化、たとえば吹き抜けのリビング、居住空間の使用者の人数変化により、一時的な能力不足を感じやすくなるという課題があった。
【０００４】
本発明は、上記従来の課題を解決するもので、一時的な能力不足感を低減できる空気調和機を提供することを目的とするものである。
【課題を解決するための手段】
【０００５】
上記従来の課題を解決するために、本発明の空気調和機は、圧縮機、室外熱交換器、四方弁、及び膨張弁を有する室外機と、室内ファンモータ、室内熱交換器を有する室内機とを配管接続してなる空気調和機において、前記室内機の設定温度と室温の温度差が所定値以上の場合、前記室内ファンモータの回転数を設定値以上に上げるもので、吹き抜けなどの高い位置に、空気調和機が設置されていても、居室の空気を十分に循環させ快適性を向上させることができる。
【発明の効果】
【０００６】
本発明の空気調和機は、たとえば吹き向けになっているリビング上部に空気調和機を設置し冷房プルダウン時は、リモコン設定値と室温の温度差は風量が足らないため温度差は縮まらない。この時リモコン設定風量よりさらに風量アップすることで居室の空気を十分に循環させることができる。また、温度差が縮まった状態では設定風量以上は必要ないため、一定時間後か設定温度に近づいた時に設定風量に戻すことで、快適性を向上することができる。
【発明を実施するための最良の形態】
【０００７】
第１の発明は、圧縮機、室外熱交換器、四方弁、及び膨張弁を有する室外機と、室内ファンモータ、室内熱交換器を有する室内機とを配管接続してなる空気調和機において、前記室内機の設定温度と室温の温度差が所定値以上の場合、前記室内ファンモータの回転数を設定値以上に上げるもので、吹き抜けなどの高い位置に、空気調和機が設置されていても、居室の空気を十分に循環させ快適性を向上させることができる。
【０００８】
第２の発明は、特に、第１の発明の室内機の設定温度と室温の温度差が第１の一定時間の間所定値以上の場合、室内ファンモータの回転数を第２の一定時間設定値以上に上げるもので、第１の一定時間経過後に、室内ファンモータの回転数を上げて風量を上げることにより、能力不足のときのみ上げることができる、また風量アップも第２の一定時間しか行わないため風速感、音の悪化も最小限に抑える事ができ、居室の空気を十分に循環させることで快適性を向上し、省エネをすることができる。
【０００９】
第３の発明は、特に、第１の発明の室内機の設定温度と室温と外気温度のそれぞれが、
第１の一定時間の間所定値範囲にある場合、室内ファンモータの回転数を第２の一定時間設定値以上に上げるもので、冷房時に、部屋が大きかったり、空気調和機が高所に取り付けられているときに、例えばリモコン設定温度が低く、外気温度が高く、室温が変化しないときに風量を上げることで、居室の空気を十分に循環させ、また暖房時は、リモコン設定温度と室温が近いが、リモコンの設定温度が高い状態の時は、居室上部に暖かい空気が溜まっている可能性があるため、風量を第２の一定時間上げることで、居室の空気を十分に循環させ居室の温度分布を改善することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機の冷媒回路の回路図、図２は、同空気調和機の制御装置の動作を説明するフローチャートである。
【００１２】
図１において、本実施の形態における空気調和機は、圧縮機８と、四方弁９と、室外熱交換器１０と、電動膨張弁１５により室外機２側の冷媒回路を形成し、室内機１の室内熱交換器３とを接続配管１６にて冷媒回路を構成している。
【００１３】
また、この空気調和機は、室内熱交換器３の近傍に配置された室内ファン４と、室内ファン４を駆動する室内ファンモータ５と、室温を検出する室内温度センサー６と、これらを検出、制御を行う室内制御装置７と、室外ファン１２、室外気温を検出する外気温度センサー１１、圧縮機８、電動膨張弁１５、四方弁９を制御する室外制御装置１３を備えている。前記室内制御装置７は、空気調和機の温度、風向、風量などを設定するリモコン１４などから運転状態の指示を受け、前記室内制御装置７と室外制御装置１３により空気調和機は制御される。
【００１４】
次に、図２のフローチャートに従って、本実施の形態における空気調和機の動作について冷房運転を例に説明する。
【００１５】
まず、リモコン１４などにより空気調和機の冷房運転の処理がスタートすると、運転設定時のリモコン設定温度Ｔａとリモコン設定風量ｑａ、室内温度センサー６により検出された室温Ｔｂを室内制御装置７に記憶する。次に室温Ｔｂとリモコン設定温度Ｔａの温度差が所定値Ｔより大きい場合（室温の方が高い）に、室内ファンモータ５の回転数を上げて、室内機１の風量をＱほど上げる。その後、室温Ｔｂが下がり、室温Ｔｂとリモコン設定温度Ｔａの温度差が所定値Ｔより小さい場合は、室内ファンモータ５の回転数を設定回転数にすることでリモコン設定風量ｑａで制御を行う。
【００１６】
また、暖房運転時は、リモコン設定温度Ｔａと室温Ｔｂの温度差が所定値Ｔより小さい場合（室温の方が低い）に、室内ファンモータ５の回転数を上げる。そして、途中でリモコン１４の設定変更がされるまで継続される。
【００１７】
これにより、吹き抜けなどの高い位置に、空気調和機が設置されていても、居室の空気を十分に循環させ快適性を向上させることができる。
【００１８】
次に、図３のフローチャートに従って、上記空気調和機の他の制御例を、冷房運転にて説明する。
【００１９】
リモコン１４などにより空気調和機の冷房運転の処理がスタートすると、運転設定時のリモコン設定温度Ｔａと、リモコン設定風量ｑａと、この時の時間ｔ１、そして室内温度
センサー６により検出された室温Ｔｂを、室内制御装置７に記憶する。
【００２０】
次に、室温Ｔｂとリモコン設定温度Ｔａの温度差が所定値Ｔより小さい場合は、リモコン設定のまま運転を行い、再度時間ｔ１、室温Ｔｂを検出する。そして室温Ｔｂとリモコン設定温度Ｔａの温度差が所定値Ｔより大きい場合（室温の方が高い）に、第１の一定時間ｔ２時間経過するまでそのままの状態で運転を行い、ｔ２時間経過後に、室内ファンモータ５の回転数を上げ、室内機１の風量をＱほど上げる。
【００２１】
その後第２の一定時間ｔ４時間経過するまで室内機風量をｑ＋Ｑの状態で継続し、ｔ４時間経過後に、室内ファンモータ５の回転数を設定回転数に戻して、リモコン設定風量ｑａで運転制御する。
【００２２】
途中で室温Ｔｂとリモコン設定温度Ｔａの温度差が所定値Ｔより小さくなるか、リモコン設定が変更されるまで継続する。また、暖房時は、リモコン設定温度Ｔａと室温Ｔｂの温度差が所定値Ｔより小さい場合（室温の方が低い）に、室内ファンモータ５の回転数を上げる。
【００２３】
このように、第１の一定時間経過後に風量を上げることにより、能力不足のときのみ制御することができる、また風量アップも第２の一定時間しか行わないため風速感、音の悪化も最小限に抑える事ができ、居室の空気を十分に循環させることで快適性を向上し、省エネをすることができる。
【００２４】
次に、図４のフローチャートに従って、上記空気調和機の他の制御例を説明する。
【００２５】
リモコン１４などにより、空気調和機の運転の処理がスタートすると、運転設定時の時間ｔ１を記憶し、リモコン設定温度Ｔａとリモコン設定風量ｑａ、そして室内温度センサー６により検出された室温Ｔｂを室内制御装置７に、室外気温を検出する外気温度センサー１１により検出された室外気温Ｔｃを室外制御装置１３にそれぞれ記憶する。
【００２６】
次に、リモコン設定温度Ｔａと室温Ｔｂと外気温度Ｔｃのそれぞれがある所定値内にあるかどうかを判断する。すなわち、リモコン設定温度ＴａがＴＡ１からＴＡ２の範囲内、室温ＴｂがＴＢ１からＴＢ２の範囲内、外気温度ＴｃがＴＣ１からＴＣ２の範囲内になった場合かつ、第１の一定時間ｔ２時間経過するまでそのままの状態で運転を行っている場合、ｔ２時間経過後に、室内ファンモータ５の回転数を上げ、室内機１の風量をＱほど上げる。
【００２７】
その後、第２の一定時間ｔ４時間経過するまで室内機１の風量をｑ＋Ｑの状態で継続し、ｔ４時間経過後に、室内ファンモータ５の回転数を設定回転数に戻して、リモコン設定風量ｑａに制御する。途中でリモコン設定温度Ｔａと室温Ｔｂと外気温Ｔｃがある所定値外になるまで継続する。
【００２８】
これにより、冷房時は、部屋が大きい、高所に取り付けられているときに、例えばリモコン設定温度が低く、外気温度が高く、室温が変化しないときに風量を上げることで、居室の空気を十分に循環させ、また暖房時は、リモコン設定温度と室温が近いが、リモコンの設定温度が高い状態の時は、居室上部に暖かい空気が溜まっている可能性があるため、風量を第２の一定時間に渡って上げることで、居室の空気を十分に循環させ居室の温度分布を改善することができる。
【００２９】
なお、上記実施の形態では、室外機と室内機を備えたセパレートタイプの空気調和機について説明したが、他の構成の空気調和機にもこの発明を適用してもよい。
【産業上の利用可能性】
【００３０】
以上のように本発明に係る空気調和機は、一時的な能力不足感を低減し、快適性に優れたもので、各種空気調和機に適用できる。
【図面の簡単な説明】
【００３１】
【図１】本発明の実施の形態１における空気調和機の冷媒回路の回路図
【図２】同空気調和機の制御装置の動作を説明するフローチャート
【図３】同空気調和機の制御装置の他の制御例を示すフローチャート
【図４】同空気調和機の制御装置の他の制御例を示すフローチャート
【符号の説明】
【００３２】
１  室内機
２  室外機
３  室内熱交換器
４  室内ファン
５  室内ファンモータ
６  室内温度センサー
７  室内制御装置
８  圧縮機
９  四方弁
１０  室外熱交換器
１１  外気温度センサー
１２  室外ファン
１３  室外制御装置
１４  リモコン
１５  電動膨張弁（膨張弁）
【図１】
2010112661.tif 000003
【図２】
2010112661.tif 000004
【図３】
2010112661.tif 000005
【図４】
2010112661.tif 000006